(57)【要約】      （修正有）【課題】スチーム噴射の集中・分散が簡単に切替えられるスチームアイロン【解決手段】水をスチーム化する気化室５から導出されたスチーム通路に設けられたスチーム噴射口３ａ，３ｂを有するアイロンベース２と、アイロンベース２の上方に配置されたタンク内の水を気化室へ供給する操作部を有するアイロン本体と、を備えたスチームアイロンにおいて、スチーム通路は、第１スチーム通路ｄ１、第２スチーム通路ｄ２に分断されて気化室から導出された第３スチーム通路Ｄ１に接続され、第１、第２及び第３スチーム通路ｄ１、ｄ２，Ｄ１の接続箇所に、第１スチーム通路ｄ１の入口を開放し一方で第２スチーム通路ｄ２の入口を閉塞し、また第１、第２スチーム通路の入口を開放する弁機構９ａ、９ｂを設け、弁機構９ａ、９ｂは回動可能な操作棒９ａを介してアイロン本体上の切替えダイヤルに連結される【選択図】図４
2011078532.tif 000002
【特許請求の範囲】
【請求項１】
供給された水をスチーム化する気化室と、該気化室から導出されたスチーム通路と、該スチーム通路に設けられたスチームを噴射するスチーム噴射口とを有するアイロンベースと、前記アイロンベースの上方に配置されたタンク及び該タンク内の水を前記気化室へ供給する操作部を有するアイロン本体を備えたスチームアイロンにおいて、前記スチーム通路は、第１、第２スチーム通路に分断されてそれぞれが前記気化室から導出された第３スチーム通路に接続され、これら第１、第２及び第３スチーム通路の接続箇所に、前記第１スチーム通路の入口を開放し、一方で前記第２スチーム通路の入口を閉塞し、また前記第１、第２スチーム通路の入口を開放する弁機構を設け、該弁機構は前記タンク内の水を前記気化室へ供給する操作部とは独立に操作可能になされていることを特徴とするスチームアイロン。
【請求項２】
前記弁機構は板状片が回動可能な操作棒を介してアイロン本体上の切替えダイヤルに連結されていることを特徴とする請求項１に記載のスチームアイロン。
【請求項３】
前記弁機構は、前記第２スチーム通路の入口を塞ぐ大きさの金属製の板状片を備え、該板状片が前記接続箇所に形成された空所において前記操作棒に軸支され回動自在に収容されて、前記アイロン本体上の切替えダイヤルの操作に従い前記第２スチーム通路の入口を開閉するように形成されていることを特徴とする請求項１又は２に記載のスチームアイロン。
【発明の詳細な説明】
【技術分野】
【０００１】
本発明は、スチームアイロンに係り、ドライとスチームの切替ボタン及びショットスチームボタンとは別に、スチームが分散噴射又は集中噴射となるようにアイロンのスチーム噴射範囲を切替えることができる独立した機構を設けたスチームアイロンに関するものである。
【背景技術】
【０００２】
アイロン掛けする衣類等のしわの程度、或いは衣類等の材質や種類によりスチーム量とスチーム噴出方法を可変できるようにしたスチームアイロンは、知られている。
【０００３】
このようなスチームアイロンのスチーム量とスチーム噴出方法の変更は、スチーム噴射面積を可変する方法、或いはスチーム孔数を選択的に切替えると共に気化室へ供給する水の給水量を変える方法で行われている。
【０００４】
このうち、前者のスチーム噴射面積を可変する方法は、例えば下記特許文献１に開示されたスチームアイロンで採用されている。このアイロンは、図８に示すように、操作棒１１３に水の滴下量の調整機能とベース面から噴射するスチームの調節機能を付加し、ベース側に設けた集中用蒸気噴射口１０５に通じる第１蒸気室１０１を常に開口しておき、後側に設けた分散用蒸気噴射口（図示省略）に通じる第２蒸気室１０２の開口面積を任意に調整できるようにしたものである。なお、タンク１０９から気化室１１２に滴下する滴下口１１１の開閉用操作棒１１３に回動機能を加えつまみ１３０又はレバーを回して伝動歯車１２２を介して回動杆１２１を回転させるため上下動と回動機能が必要で機構が複雑になる。
【０００５】
また、後者の給水量を変更すると共にスチーム孔数を切替える方法は、例えば下記特許文献２に開示されたスチームアイロンで採用されている。このアイロンは、図９に示すように、タンク２１１からベース２０１に形成した気化室２０４への給水量を切替える水量切換え手段２３６，２３８と、このベースに形成された多数のスチーム孔２３２の孔数を切替えるスチーム孔数切換え手段とを備え、スチーム孔数の切換え手段と水量切換え手段とを連動させ、スチーム孔数切換え手段は、水量切換え手段が水量増加側へ切換わると、スチーム孔の孔数が少なくなり、また水量切換え手段にはベースの加熱量を制御する制御手段２５４を有し、この制御手段２５４により、水量切換え手段が水量増加側に切換わると、ベース２０１の加熱量を増加させるものである。
【先行技術文献】
【特許文献】
【０００６】
【特許文献１】実公昭５１−４６５５９号公報
【特許文献２】特開平４−８４９９９号公報
【発明の概要】
【発明が解決しようとする課題】
【０００７】
上記特許文献１、２に記載されたスチームアイロンは、いずれもスチームの分散噴射と集中噴射を切替えてアイロン掛けができるものであるが、これらのスチームアイロンは、アイロン掛けする衣類等をアイロン台に載置し、アイロンを水平状態にしてスチームの分散又は集中噴射の切替えを行うものである。これらのスチームアイロンは、分散・集中噴射の切替えを手動操作による押しボタン式の複雑な切替え機構によって行うようになっているので、操作が面倒であるばかりか、切替え機構が高価になると共に故障が増加する原因になる。
【０００８】
近年、このようなスチームアイロンにおいて、アイロン掛けする衣類等の広い範囲にスチームを当て広範囲のアイロン掛けを効率的に行なったり、スチームを集中させスチーム噴射口の１つ当たりから噴出するスチーム量を増大させて、衣類等の狭い範囲に集中的にスチームを当て局所的な頑固なしわを伸ばすようにしたりすることができるように、分散噴射と集中噴射を簡単に切替えできるスチームアイロンが使用者から要望されている。
【０００９】
本発明は、このような使用者の要望に応えることができるように改良したもので、本発明の目的は、アイロンのスチームの集中・分散噴射を使用者が用途に合わせて簡単に切替えられるスチームアイロンを提供することにある。
【課題を解決するための手段】
【００１０】
上記目的を達成するために、本願の請求項１に記載のスチームアイロンは、供給された水をスチーム化する気化室と、該気化室から導出されたスチーム通路と、該スチーム通路に設けられたスチームを噴射するスチーム噴射口とを有するアイロンベースと、前記アイロンベースの上方に配置されたタンク及び該タンク内の水を前記気化室へ供給する操作部を有するアイロン本体を備えたスチームアイロンにおいて、前記スチーム通路は、第１、第２スチーム通路に分断されてそれぞれが前記気化室から導出された第３スチーム通路に接続され、これら第１、第２及び第３スチーム通路の接続箇所に、前記第１スチーム通路の入口を開放し、一方で前記第２スチーム通路の入口を閉塞し、また前記第１、第２スチーム通路の入口を開放する弁機構を設け、該弁機構は前記タンク内の水を前記気化室へ供給する操作部とは独立に操作可能になされていることを特徴とする。
【００１１】
また、請求項２に記載の発明は、請求項１に記載のスチームアイロンにおいて、前記弁機構は板状片が回動可能な操作棒を介してアイロン本体上の切替えダイヤルに連結されていることを特徴とする。
【００１２】
また、請求項３に記載の発明は、請求項１又は２に記載のスチームアイロンにおいて、前記弁機構は、前記第２スチーム通路の入口を塞ぐ大きさの金属製の板状片を備え、該板状片が前記接続箇所に形成された空所において前記操作棒に軸支され回動自在に収容されて、前記アイロン本体上の切替えダイヤルの操作に従い前記第２スチーム通路の入口を開閉するように形成されていることを特徴とする。
【発明の効果】
【００１３】
本発明は上記構成を備えることにより、以下に示すような優れた効果を奏する。
【００１４】
請求項１の発明によれば、従来技術のように複雑なドライ／スチーム切替え機構を備えた装置が不要になり、アイロン本体の構造が簡単になる。
【００１５】
また、タンク内の水を気化室へ供給する操作部は、弁機構とは独立に操作可能になされているので、タンク内に貯えられた水は操作部を操作することにより気化室へ供給され、弁機構の操作によりスチーム範囲を可変できるアイロン掛けが可能になる。すなわち、操作部を操作することより、タンク内の水を気化室へ連続的或いは間歇的に供給してスチーム量を可変するとともに弁機構により分散噴射と集中噴射を選んで噴射させることができる。また、ドライ／スチーム切替えボタン（第１操作部）とショットスチームボタン（第２操作部）の双方を同時に操作することにより、増量したスチームを間歇的に噴射させることができる。
【００１６】
したがって、衣類等のしわの状態或いは衣類等の素材に応じて分散噴射と集中噴射を選択することにより、スチーム範囲を可変して適切なアイロン掛けを行うことができる。
【００１７】
請求項２の発明によれば、スチーム通路は、第１、第２スチーム通路に分断されて気化室から導出された第３スチーム通路に接続され、これら第１、第２及び第３スチーム通路の接続箇所に、第１スチーム通路の入口を開放し一方で第２スチーム通路の入口を閉塞し、また第１、第２スチーム通路の入口を開放する弁機構を設ける。弁機構は板状片が回動可能な操作棒を介してアイロン本体上の切替えダイヤルに連結されており、切替えダイヤルの操作により第２スチーム通路の入口が弁機構により閉塞又は開放されるので、アイロン本体を立てた状態でも或いは水平状態でも、アイロンの使用状態に応じてスチーム噴射口からのスチームを分散噴射或いは集中噴射させることができる。
【００１８】
すなわち、第１、第２スチーム通路の入口がいずれも開放されると、全てのスチーム噴射口からスチームを噴射する、いわゆる分散噴射となり広い範囲にスチームを当てることができる。一方、第２スチーム通路の入口が閉塞され、第１スチーム通路の入口のみが開放されると、第１スチーム通路内のスチーム噴射口からスチームを集中して噴射させることができる。すなわち、１つ当たりのスチーム噴射口から噴出するスチーム量を増大させて衣類等の特定部分に集中的に当てることができる。
【００１９】
請求項２の発明によれば、弁機構は簡単な構造であるので故障の発生を抑制することができる。
【００２０】
請求項３の発明によれば、請求項２の効果に加え、従来技術のように複雑な切替え機構を備えた装置が不要になり、アイロン本体の構造が簡単になる。
【図面の簡単な説明】
【００２１】
【図１】図１は本発明の実施例に係るスチームアイロンの斜視図である。
【図２】図２はスチームアイロンの内部要所を示す、図１のＡ−Ａ線の断面図である。
【図３】図３はスチームアイロンの操作部の詳細断面図を示す、図１のＡ−Ａ線に沿った一部拡大断面図である。
【図４】図４はアイロンベースの斜視図であり、集中噴射状態のスチームの流れを説明するものである。
【図５】図５はアイロンベースの平面図であり、集中噴射状態のスチームの流れを説明するものである。
【図６】図６はアイロンベースの斜視図であり、分散噴射状態のスチームの流れを説明するものである。
【図７】図７はアイロンベースの平面図であり、分散噴射状態のスチームの流れを説明するものである。
【図８】図８は従来のスチームアイロンの断面図である。
【図９】図９は従来のスチームアイロンの他の例の断面図である。
【発明を実施するための形態】
【００２２】
以下、図面を参照して本発明の実施形態を説明する。ただし、以下に示す実施形態は、本発明の技術思想を具体化するためのスチームアイロンを例示するものであって、本発明をこのスチームアイロンに特定することを意図するものではなく、特許請求の範囲に含まれるその他の実施形態のものも等しく適応し得るものである。
【実施例】
【００２３】
図１は本発明の実施例に係るスチームアイロンの斜視図である。図２は図１のＡ−Ａ線の断面図であり、スチームアイロンの内部構造の要部を示すものである。図３はスチームアイロンの操作部詳細を示す、図１のＡ−Ａ線に沿った一部拡大断面図である。図４はアイロンベースの斜視図であり、スチームの集中噴射状態のときの弁機構の状態を説明するものである。図５はアイロンベースの平面図であり、図４の状態の平面図である。図６はアイロンベースの斜視図であり、スチームの分散噴射状態のときの弁機構の状態を説明するものである。図７はアイロンベースの平面図であり、図６の状態の平面図である。
【００２４】
本実施例に係るスチームアイロン１は、図１〜図３に示すように、ヒータ７が埋設され且つスチームを発生させる気化室５が形成されたアイロンベース（以下、ベースという）２と、気化室５に水を供給するタンク２０と、タンク２０内に貯留された水の気化室５への供給・停止をコントロールする操作部４０と、タンク２０の上方にあってスチームアイロン１を操作するハンドル１５等で構成されている。なおタンク２０、操作部４０及びハンドル１５等はアイロン本体１０の一部を構成している。
【００２５】
ベース２の上方にはアイロンカバー１１が固定され、このアイロンカバー１１の上部にアイロン本体１０が固定されている。アイロン本体１０のハンドル１５は握り部を有している。ハンドル１５の前側上面には表示部１７が設けられ、ハンドル１５の内部にはヒータ等を制御する制御基板１６が収容されている。アイロンカバー１１はその上部にタンク２０が着脱自在に取付けられており、このタンク２０は、両側の袖部２０ａ、２０ｂが貯水部となっている。タンク２０の前側には注水口５６及びこの注水口５６を覆う蓋１８、上側にはドライ／スチーム切替ボタン５０とショットスチームボタン４１からなる操作部４０が設けられている。
【００２６】
ベース２は、図４〜図７に示したように、頂部が切除された所定長の底辺を有するほぼ三角形状の板状体である。所定の肉厚を有する熱伝導性のよいアルミ等の金属材料で形成されている。このベース２は、表面のほぼ中央部に所定大きさの開口及び深さを有する凹状穴からなる気化室５が形成され、その周囲を取り囲むようにヒータ７が埋設されている。ベース２の底面には、外周縁に複数個のスチーム噴射口３が設けられており、この複数個のスチーム噴射口３のうち、前方に位置するスチーム噴射口３ａと後方に位置するスチーム噴射口３ｂはそれぞれ異なるスチーム通路ｄ１、ｄ２に連結されている。このうち第１スチーム通路ｄ１に連結された第１スチーム噴射口３ａは集中噴射用、第２スチーム通路ｄ２に連結される第２スチーム噴射口３ｂは分散噴射用に用いられる。
【００２７】
第１スチーム通路ｄ１、第２スチーム通路ｄ２は、気化室５から導出された第３スチーム通路Ｄ１に連結しており、その連結部分には弁部材Ｖが収容される小部屋６が形成されている。この小部屋６は、弁部材Ｖの板状弁９ｂが水平方向に回動できる幅を有し、板状弁９ｂが第１スチーム通路ｄ１の入口６ａを閉塞しないようにかつ第２スチーム通路ｄ２の入口６ｂを閉塞できるような位置関係において構成されている（図５参照）。すなわち、第２スチーム通路ｄ２の第３スチーム通路Ｄ１からの入口６ｂに、その中央部に支点を有し回転可能なように板状弁９ｂが装着されている。すなわち、弁部材Ｖは、図５に示すように、小部屋６内に、第２スチーム通路ｄ２の入口６ｂに取付けられた板状弁９ｂと回動可能な操作棒９ａで構成されており、板状弁９ｂに取り付けた回動可能な操作棒９ａを介してダイヤル９ｃ（図1参照）で操作され、第２スチーム通路ｄ２の入口を板状弁９ｂで開閉するものである。
【００２８】
スチームアイロン１は、ダイヤル９ｃを回して集中噴射を選択した場合、図４、図５に示すように、板状弁９ｂを回転させて第２スチーム通路ｄ２の開口を閉塞する。これにより気化室５で生成されたスチームは、第３スチーム通路Ｄ１から第１スチーム通路ｄ１のみへ送られて、スチーム噴射口３ａから噴射されることになり集中噴射を行う。図５の矢印は、この場合のスチームの流れを示す。
【００２９】
一方、図６、図７に示すように、ダイヤル９ｃを回して分散噴射を選択した場合、この弁部材Ｖの板状弁９ｂが、第１スチーム通路ｄ１の入口６ａ及び第２スチーム通路ｄ２の入口６ｂを開放すると、気化室５で発生したスチームは、気化室５から第３スチーム通路Ｄ１を経て小部屋６で分岐されて第１、第２スチーム通路ｄ１、ｄ２へ送られ、全てのスチーム噴射口３ａ、３ｂから噴射されることになりスチームの分散噴射を行う。図７の矢印は、この場合のスチームの流れを示す。
【００３０】
気化室５及びスチーム通路ｄ１、ｄ２、Ｄ１等は、その上方の開口が蓋体１２によって閉塞される。この蓋体１２は、ベース２に設けたねじ穴とねじによってベース２に固定されている。また、ヒータの近傍には、反転バイメタル８ａ及びこのバイメタル８ａによって作動する応動バルブ８ｂが配設されている。ヒータにより加熱されたベース２が所定温度に達すると、反転バイメタル８ａが反転して応動バルブ８ｂが開いて、気化室５へ水が滴下し、生成されたスチームがスチーム通路Ｄ１、ｄ１、ｄ２等を経てスチーム噴射口３から噴射される。このとき、弁部材Ｖにより、スチームの分散、集中噴射がダイヤル９ｃの操作によって自由に切換えられる。
【００３１】
タンク２０は、図１〜図３に示すように、平面形状ではほぼＵ字形をしたタンク底板２１と、このタンク底板２１の上に取付け固定されて内部に水を貯留できる空洞を有するタンク上部５５と、このタンク上部５５に装着されタンク底板２１に装着されたバルブ３３ａ、３３ｂを開閉操作する一対のドライ／スチーム切替ボタン５０とショットスチームボタン４１を備えた操作部４０とで構成されている。すなわち、タンク底板２１の外周囲には、凹状溝が形成され、タンク上部５５と嵌合されて液密に固着されている。タンク２０は、合成樹脂材で形成され、アイロン本体１０の前側先端部に位置する頭部２０ｃと、この頭部から離れた位置で所定幅の溝で分岐された袖部２０ａ、２０ｂとからなり、平面視でほぼＵ字形をなしている。タンク底板２１のタンク頭部２０ｃに近い位置には、所定大きさの２個の貫通孔２６ａ、２６ｂが形成されている。これらの貫通孔２６ａ、２６ｂはそれぞれバルブ３３ａ、３３ｂが装着されるバルブ装着孔２６ａ、２６ｂとなっている。
【００３２】
タンク底板２１には、図２、図３に示すように、各バルブ装着孔２６ａ、２６ｂを底面側から覆い、これらの装着孔から流出する水を気化室５へ導出する流出ガイド部材３５が装着される。流出ガイド部材３５は、各バルブ装着孔２６ａ、２６ｂから流出した水を案内する図示しない凹状溝と、その水を気化室５へ流出させる流出口とを有する板状体からなり、合成樹脂材で形成されている。この流出ガイド部材３５の外周囲には、突条３５ａが形成されており、タンク底板２１の背面に設けた溝に嵌入させて固定される。タンク底板２１のバルブ装着孔２６ａ、２６ｂに取付けられるバルブ３３ａ、３３ｂは、上面にすり鉢状の窪みが形成された円盤状の板状体からなり、底部中央に開閉桿５１の先端が嵌り込む細穴が設けられている。各バルブ３３ａ、３３ｂのタンク底板２１への取付けは、バルブを装着孔２６ａ、２６ｂの底面から嵌め込み、流出ガイド部材３５で覆うことで固定される。このような構成により、各バルブ３３ａ、３３ｂから流出する水は、流出ガイド部材３５の凹状溝を通って流出口から気化室５へ流出させられる。
【００３３】
タンク上部５５は、タンク底板２１の形状と同じ形状の開口からなる底部と、この底部から上方へ大きく膨らみアイロンの外郭を形成する膨出部とからなり、この膨出部が空洞となっている。すなわち、この膨出部はタンク底板２１の袖部２０ａ、２０ｂに対応する部分であって２つに分岐された空洞となり、この空洞の奥部が閉鎖されている。また、膨出部はタンク底板２１の頭部に対応する部分に凹み部５７が形成され、この凹み部５７の底部にドライ／スチームボタン（第１操作部）５０の開閉桿５１が挿通される穴が形成されている。
【００３４】
タンク２０には、操作部４０が設けられる。操作部４０は、スチーム噴出とスチーム停止とを切換えるドライ／スチーム切替ボタン（第１操作部）５０と、スチーム量を増大させ或いはスチーマーとして使用する際に操作されるショットスチームボタン（第２操作部）４１とからなる。これらはタンク２０の頭部に並設されている。
【００３５】
ドライ／スチーム切替ボタン（第１操作部）５０は、押しボタン型の切替え釦５４と、この切替え釦５４の押下げにより回転する回転子５２と、一端がバルブ３３ａに対峙し他端が回転子５２に結合された開閉桿５１と、回転子５２を押し上げるスプリング５８と開閉桿５１を押し下げるスプリング５９とで構成されている。この構成により、切替え釦５４をスプリング５８の反発力に抗して押下げると、開閉桿５１によりバルブ３３ａが閉じてドライアイロンとして使用でき、またここで、切替え釦５４を再度押し下げると、開閉桿５１が押し上げられてバルブ３３ａが開き、タンク２０内の水が気化室５に流入してスチームとなりスチームアイロンとして使用できる。
【００３６】
また、ショットスチームボタン（第２操作部）４１は、図２の凹み部５７に設けた押し釦４６と、押し釦４６の押圧に伴って上下する開閉桿４７と、開閉桿４７と凹み部５７間に設置したスプリング４５と、開閉桿４７にスプリング４５を介して設置されていて凹み部５７の貫通孔に設けたボールバルブ４８を備えている。そして、このショットスチームボタン（第２操作部）４１の押しボタンを押下げている間、ボールバルブ４８が開きタンク２０からバルブ３３ｂを通して気化室５へ水が連続して供給され、スチーム噴射口３から連続したスチームが噴射される。
【００３７】
次に、このスチームアイロンの使用方法を説明する。
【００３８】
アイロン掛けは、ドライ／スチーム切替ボタン（第１操作部）５０の切替え釦５４を上下動させてスチーム或いはドライを選択して行う。この使用法は、これまでのスチームアイロンと同じである。集中・分散切替えダイヤルが、分散噴射を選択している場合、第１スチーム通路ｄ１の入口６ａ及び第２スチーム通路ｄ２の入口６ｂが開放され、気化室５で発生したスチームは第３スチーム通路Ｄ１を経て小部屋６で分岐されて第１、第２スチーム通路ｄ１、ｄ２へ送られ、全てのスチーム噴射口３ａ、３ｂから分散噴射される。この使用状態において、衣類等のシワがきつく、多量のスチームが必要なときは、ショットスチームボタン（第２操作部）４１を操作する。すなわち、押し釦４６を押下して開閉桿４７を作動させボールバルブ４８とバルブ３３ｂを開放して、タンク２０内の水を気化室５へ供給する。ドライ／スチーム切替ボタン（第１操作部）５０の操作によりバルブ３３ａが開放された状態でショットスチームボタン（第２操作部）を操作すると、気化室５へは両バルブ３３ａ、３３ｂから給水されて、スチーム噴射口３から増量されたスチームが噴射されるので、きついしわでも簡単にしわ伸ばしができる。また、しわの状態に応じて第１、第２操作部５０、４１のいずれかを選択して最適なスチームを噴射させることができる。
【００３９】
また、集中・分散ダイヤル９が、集中噴射を選択している場合、第１スチーム通路ｄ１の入口６ａが開放され、第２スチーム通路ｄ２の入口６ｂが閉鎖される。気化室５で発生したスチームは第３スチーム通路Ｄ１を経て小部屋６で第１スチーム通路ｄ１へ送られ、アイロン前方のスチーム噴射口３ａから集中噴射される。スチーマーとしての使用は、ショットスチームボタン（第２操作部）４１の押し釦４６を押し続けると、ボールバルブ４８とバルブ３３ｂが開放されて、タンク２０に貯留された水が気化室５へ流出され、第３スチーム通路Ｄ１を経て第１スチーム通路ｄ１へ送られて、前方に位置するスチーム噴射口３ａのみから集中噴射が行われる。また、連続スチームが不要な場合は、ショットスチームボタン（第２操作部）４１の押し釦４６を上下動させて間歇給水により間歇的にスチームを噴射できる。
【００４０】
以上説明したように、本発明のスチームアイロンによれば、スチームアイロンの使用状態が連続的噴射、間歇的噴射にかかわらず、スチ−ムが噴射されるスチーム噴射口の範囲を自由に切り替えることができ、スチームアイロンの分散噴射、集中噴射を選択することができるので、対象に応じた適切なスチーム噴射を行うことが可能なスチームアイロンを提供することができる。
【符号の説明】
【００４１】
１  スチームアイロン
２  アイロンベース
３、３ａ、３ｂ  スチーム噴射口
５  気化室
６  小部屋
６ａ、６ｂ  （第１、第２スチーム通路の）入口
７  ヒータ
９  弁機構（９ａ  操作棒、９ｂ  板状弁、９ｃ  切替えダイヤル）
１０  アイロン本体
１１  アイロンカバー
１５  ハンドル
２０  タンク
２０ａ、２０ｂ  タンク袖部
３３ａ、３３ｂ  バルブ
４０  操作部
４１  ショットスチームボタン（第２操作部）
５０  ドライ／スチーム切替ボタン（第１操作部）
ｄ１  第１スチーム通路
ｄ２  第２スチーム通路
Ｄ１  第３スチーム通路
Ｖ  弁部材
【図１】
2011078532.tif 000003
【図２】
2011078532.tif 000004
【図３】
2011078532.tif 000005
【図４】
2011078532.tif 000006
【図５】
2011078532.tif 000007
【図６】
2011078532.tif 000008
【図７】
2011078532.tif 000009
【図８】
2011078532.tif 000010
【図９】
2011078532.tif 000011